(57)【要約】【課題】部材数及び組立工数を増やすことなく扁平型電池ないしはスペーサ同士をより確実かつ強固に拘束できるようにする。【解決手段】複数の扁平型電池１Ａ〜１Ｄの一つ一つをスペーサ３Ａ〜３Ｅなどにより上下から挟持して非接触状態に積層した積層体４を、前記各スペーサを締結部材２により拘束することにより一体化する電池モジュール用セルユニットの締結構造において、締結部材２は、縦断面略コ形状をなしているとともに、対向内面に設けられた係合部（２５）を有しており、前記各スペーサを対向内面の間に配置した状態で、各スペーサを前記係合部とその係合部と対向している箇所（係合部２６又は側部２１）とで挟持して各スペーサの動きを規制することを特徴としている。【選択図】図２
2012079543.tif 000002
【特許請求の範囲】
【請求項１】
複数の扁平型電池の一つ一つをスペーサにより上下から挟持して非接触状態に積層した積層体を、前記各スペーサを締結部材により拘束することにより一体化する電池モジュール用セルユニットの締結構造において、
前記締結部材は、縦断面略コ形状をなしているとともに、対向内面に設けられた係合部を有しており、前記各スペーサを対向内面の間に配置した状態で、前記各スペーサを前記係合部とその係合部と対向している箇所とで挟持して前記各スペーサの動きを規制することを特徴とする電池モジュール用セルユニットの締結構造。
【請求項２】
前記スペーサのうち、最上下段に配置されるスペーサに被係合部を設け、前記締結部材に前記各スペーサを挟み込むのと同時に、前記係合部が前記被係合部に係合して、前記締結部材が前記各スペーサを前記係合部と前記被係合部との係合状態で挟持することを特徴とする請求項１に記載の電池モジュール用セルユニットの締結構造。
【請求項３】
前記締結部材は、前記スペーサの外側を覆うように配置される絶縁カバーを兼ねていることを特徴とする請求項１又は２に記載の電池モジュール用セルユニットの締結構造。
【請求項４】
前記スペーサと前記絶縁カバーとに設けられて、前記絶縁カバーを前記各スペーサに組み付けるとき、互いに嵌合する位置決め手段を有していることを特徴とする請求項３に記載の電池モジュール用セルユニットの締結構造。
【請求項５】
複数の扁平型電池の一つ一つをスペーサにより上下から挟持して非接触状態に積層した積層体を、前記各スペーサを拘束することにより一体化する請求項１から４の何れかに記載の締結部材。
【請求項６】
長手方向の左右端に設けられて前記スペーサの外端面と燐接する両側面の一部を覆う湾曲部を有していることを特徴とする請求項５に記載の締結部材。
【発明の詳細な説明】
【技術分野】
【０００１】
本発明は、電極端子を有する扁平型電池を複数積層し、各電池の電極端子を電気的に接続して高出力及び／又は高容量化した電池モジュール用セルユニットの締結構造及び締結部材に関する。
【背景技術】
【０００２】
図９及び図１０は特許文献１に開示のセルユニット及びそれを用いた電池モジュールを示している。同図の電池モジュール１００は、図９（ａ）に示されるごとく金属製のケース１２０（ロアケース１２２及びアッパケース１２４）に同（ｂ）のセルユニット１４０を収納した構造であり、単一使用に限られず、複数を直列や並列に接続して目的の電流、電圧、容量に応じた組電池として作成される。ここで、セルユニット１４０は、複数の扁平型電池１４４Ａ〜１４４Ｄ（１４４）、各扁平型電池の一つ一つを上下より挟持して非接触状態に積層する複数のスペーサ１６０Ａ〜１６０Ｅ（１６０）と１６１Ａ〜１６１Ｅ（１６１）、及び各スペーサを拘束する絶縁カバーである締結部材１７０
（スペーサ１６１側の締結部材は省略されている）などにより構成されている。
【０００３】
各扁平型電池１４４は、電極端子１４７，１４８付きの発電素子、電極端子を除いて発電素子を封止している外装材などからなる。各スペーサ１６０は、図１０のごとく窓部１６３、貫通孔１６４、電圧検出部１６９などを有し、積層体１４２の前側にあって各扁平型電池の電極端子１４７を上下より挟持するよう配置される。各スペーサ１６１は、貫通孔１６５を有し、積層体１４２の後側にあって各扁平型電池のもう一方の電極端子１４８を上下より挟持するよう配置される。
【０００４】
スペーサ１６０において、窓部１６３は、電極端子の一部を露出し、各扁平型電池１４４を電気的に接続可能する。貫通孔１６４，１６５は、ケース１２２の四隅に設けられた貫通孔１３０と対応しており、不図示のボルトが挿通される。電圧検出部１６９は、挟持した電極端子の周縁部分を露出して、ケース前面１２３に設けられた開口部１３４に配置される。但し、電圧検出部１６９は専用端子によって構成されることもある。各スペーサ１６０のうち、最上段のスペーサ１６０Ａの上面及び最下段のスペーサ１６０Ｅの下面は、締結部材嵌合用の凹部１６２に形成されている。スペーサ１６０Ｅはバスバー１９６を介して電極端子１４７に電気接合された出力端子１６６を有し、スペーサ１６０Ｂは電極端子１４７に電気接合された出力端子１６７を有している。各出力端子は、ケース前面１２３に設けられた開口部１３２，１３３より突出される。
【０００５】
締結部材１７０は、図９（ｃ）のごとく本体基部１７２及び上下の側面部１９０からなる縦断面コ字形であり、両側面部１９０によって積層体のスペーサ１６０を上下から挟む込む。本体基部１７２は、両側付近の開口部１７４，１７５及び中央部の差込口１７６を有する。開口部１７４，１７５は、出力端子１６６，１６７を突出可能となっており、縁部に延長している突出部１８４，１８５を有する。突出部１８４，１８５は、筒状壁部１８６及びその先端の拡張部１８８を有し、図９（ａ）のごとくケースの開口部１３２，１３３から突出される。
【０００６】
以上のセルユニット１４０は、各扁平型電池１４４Ａ〜１４４Ｄが前後部においてスペーサ１６０及び１６１を介して非接触状態に積層され、その積層体１４２が締結部材１７０（スペーサ１６１側の締結部材は省略されている）により一体的に拘束される。すなわち、セルユニット１４０は、積層体１４２に対し締結部材１７０が開口部１７４，１７５に出力端子１６６，１６７を挿入した状態で、その上下側面部１９０を最上下段のスペーサ１６０Ａ，１６０Ｅの外面側凹部１６２に嵌合することで拘束一体化される。なお、セルユニット１４０は、その拘束状態からケース１２０に収納されて電池モジュール１００として作成される。電池モジュール１００は、用途ないしは仕様に応じた必要数が積層され、かつ、四隅のケース側貫通孔１３０及びスペーサ側貫通孔１６４，１６５に挿通されるボルトなどの固定手段により連結されて組電池として構築される。
【先行技術文献】
【特許文献】
【０００７】
【特許文献１】特開２００７−１７２８９３号公報
【発明の概要】
【発明が解決しようとする課題】
【０００８】
上記したセルユニットにおいて、積層体はその前後部の各スペーサを締結部材により一体化した状態に拘束されるが、ケースに収納して電池モジュールとして作成したり、組電池として構築されるまでに、扁平型電池ないしはスペーサ同士が微量に動いて電気接続などの不良要因となることもある。この対策としては、例えば、締結部材に加えて、他の結合手段により積層体に対する拘束力を補強することが考えられるが、部材数及び組立工数が増えてコスト高となり採用し難い。
【０００９】
本発明は以上のような課題から工夫されたものである。その目的は、部材数及び組立工数を増やすことなく扁平型電池ないしはスペーサ同士をより確実かつ強固に拘束でき、それにより電池モジュール用セルユニットの品質を向上することにある。
【課題を解決するための手段】
【００１０】
上記目的を達成するため請求項１の発明は、複数の扁平型電池の一つ一つをスペーサにより上下から挟持して非接触状態に積層した積層体を、前記各スペーサを締結部材により拘束することにより一体化する電池モジュール用セルユニットの締結構造において、前記締結部材は、縦断面略コ形状をなしているとともに、対向内面に設けられた係合部を有しており、前記各スペーサを対向内面の間に配置した状態で、前記各スペーサを前記係合部とその係合部と対向している箇所とで挟持して前記各スペーサの動きを規制することを特徴としている。
【００１１】
以上の本発明において、『対向内面に設けられた係合部』とは、図３の部分拡大図に示されるごとく対向内面にそれぞれ係合部２５，２６を設けた第１構成と、図８（ｂ）に示されるごとく対向内面の一方にだけ係合部２５を設けた第２構成とを含む。『前記各スペーサを前記係合部とその係合部と対向している箇所とで挟持し』とは、前記第１構成の場合は、各スペーサを係合部２５と係合部２６とで挟持する構成となる。前記第２構成の場合は、各スペーサを一方の係合部２５と締結部材を構成しているコ形状の両側部のうち、係合部２５を設けていない方の側部２１とで挟持する構成となる。
【００１２】
以上の本発明は請求項２〜６のように具体化されることがより好ましい。すなわち、
（ア）請求項２の発明は、前記スペーサのうち、最上下段に配置されるスペーサに被係合部を設け、前記締結部材に前記各スペーサを挟み込むのと同時に、前記係合部が前記被係合部に係合して、前記締結部材が前記各スペーサを前記係合部と前記被係合部との係合状態で挟持する構成である。
（イ）請求項３発明は、前記スペーサの外側を覆うように配置される絶縁カバーを兼ねている構成である。
（ウ）請求項４の発明は、前記スペーサと前記絶縁カバーとに設けられて、前記絶縁カバーを前記各スペーサに組み付けるとき、互いに嵌合する位置決め手段を有している構成である。
【００１３】
（エ）請求項５の発明は、以上の電池モジュール用セルユニットの締結構造に用いられる締結部材を特定したものである。すなわち、複数の扁平型電池の一つ一つをスペーサにより上下から挟持して非接触状態に積層した積層体を、前記各スペーサを拘束することにより一体化する請求項１から４の何れかに記載の締結部材。
（オ）請求項６の発明は、長手方向の左右端に設けられて前記各スペーサの外端面と燐接する両側面の一部を覆う湾曲部を有している構成である。
【発明の効果】
【００１４】
請求項１の発明では、締結部材がコ形状の内側に各スペーサを挟み込んだ状態において、対向内面の一方に設けられた係合部とその係合部と対向している箇所との間に各スペーサを更に挟持するため、各スペーサがより確実に位置規制できる。これにより、この構造では、部材数を増やしたり、組立工数を増やすことなく扁平型電池ないしはスペーサ同士をより確実かつ強固に拘束できる。
【００１５】
請求項２の発明では、締結部材のコ形状内に各スペーサを挟み込むと同時に、最上下段のスペーサに設けられた被係合部と締結部材側係合部とが係合状態となるため、スペーサ同士を締結部材のコ形状内に挟持する規制力に加え、係合部と被係合部との係合による左右及び上下方向の規制力を付与でき、それにより電池モジュール用セルユニットの信頼性及び品質を向上できる。
【００１６】
請求項３発明では、締結部材が各スペーサの外側を覆うように配置される絶縁カバーを兼ねているため部材数を増やすことなく容易に実施できる。
【００１７】
請求項４の発明では、絶縁カバーを各スペーサに組み付けるとき、位置決め手段により互いに嵌合して位置ずれを防止して高精度に拘束一体化できる。
【００１８】
請求項５発明では、電池モジュール用セルユニットを構成している扁平型電池の積層体ないしはスペーサ同士を拘束する締結部材として、請求項１から４の各発明に記載したような利点を具備できる。
【００１９】
請求項６の発明では、締結部材が長手方向の左右端に設けられて各スペーサの両側面の一部を覆う湾曲部の存在によって、積層体ないしは各スペーサに対してより安定した組み付け状態が得られる。
【図面の簡単な説明】
【００２０】
【図１】本発明形態の電池モジュール用セルユニットを示し、（ａ）は同セルユニットの上面図、（ｂ）は同セルユニットの前方より見た正面図である。
【図２】（ａ）、（ｂ）、（ｃ）は図１のＡ−Ａ線、Ｂ−Ｂ線、Ｃ−Ｃ線に沿って断面した拡大断面図である。
【図３】図１のＤ−Ｄ線に沿って断面した拡大断面図とその部分拡大図である。
【図４】（ａ），（ｂ）は電池モジュール用セルユニットを構成している積層体と締結部材との関係を模式的に示す要部分解図とその部分拡大図である。
【図５】上記積層体を構成しているスペーサを示す構成図である。
【図６】上記締結部材の細部を示し、（ａ）は背面側から見た斜視図、（ｂ）はＥ−Ｅ線に沿って断面した拡大断面図である。
【図７】（ａ）及び（ｂ）は変形例１を図２（ａ）と図６（ｂ）に対応させて示す図である。
【図８】（ａ）は変形例２を、（ｂ）は変形例３を図３の部分拡大図にそれぞれ対応させて示す図である。
【図９】特許文献１に開示の電池モジュール用セルユニットを示し、（ａ）と（ｂ）は電池モジュールとセルユニットの斜視図、（ｃ）は締結部材の斜視図である。
【図１０】（ａ）は図８のセルユニットの分解図、（ｂ）は扁平型電池の積層体の構成図である。
【発明を実施するための最良の形態】
【００２１】
以下、本発明形態を図面を参照しながら説明する。この説明では、図１〜図６に示した電池モジュール用セルユニットの概要、締結構造及びその利点、図７に示した変形例１、図８に示した変形例２と３の順に詳述する。なお、変形例１〜３の説明では、図１〜図６の構造と同じ部材及び部位に同じ符号を付し、変更点だけを詳述する。
【００２２】
（概要）図１から図３に示した電池モジュール用セルユニット５は、複数の扁平型電池１Ａ〜１Ｄの一つ一つを前側の各スペーサ３Ａ〜３Ｅ、不図示の後側の各スペーサにより上下から挟持して非接触状態に積層した積層体４、及び前側の各スペーサ３Ａ〜３Ｅ及び後側の各スペーサを拘束する絶縁カバーを兼ねる締結部材２Ａ，２Ｂからなる点、図９のような金属製のケースに収納されて電池モジュールとして作成される点で従来と同じ。
【００２３】
工夫点は、特に、図４の積層体４を、前記各スペーサを締結部材２Ａ，２Ｂにより拘束して電池モジュール用セルユニット５として作成する際の締結構造にある。ここで、締結部材２Ａ，２Ｂとしては、何れもが縦断面略コ形状をなしているとともに、対向内面に設けられた係合部２５，２６を有している点で同じ。この締結構造において、締結部材２Ａは前側の各スペーサ３Ａ〜３Ｅを、締結部材２Ｂは後側の各スペーサをそれぞれコ形の対向内面の間に挟み込んだ状態で、前記各スペーサを係合部としての片部２５とその片部２５と対向している箇所（図３の場合は片部２６、図８（ｂ）の場合は締結部材を構成しているコ形状の両側部２１のうち、片部２５を設けていない方の側部２１）とで挟持して積層体４ないしは各スペーサの動きを規制するようにしたものである。
【００２４】
各扁平型電池１Ａ〜１Ｄ（１）は、リチウムイオン二次電池などであり、不図示の発電素子、及び該発電素子に接続された前後端側の電極端子１０（図２を参照）、該発電素子を覆っている外装材１１（図１を参照）などからなる。図４では各扁平型電池１Ａ〜１Ｄを模式化し、図２と図７及び図８では外装材１１を省略している。
【００２５】
以下の説明において、締結部材２Ａ,２Ｂ（２）は、締結構造としては同じため締結部材２Ｂの細部を省略し、締結部材２Ａの方で細部構成を明らかにする。また、前側の各スペーサ３Ａ〜３Ｅ（３）と後側の各スペーサは、出力端子の有無などよって形状的に異なっているが、締結構造としては同じため後側の各スペーサについては省略し、前側の各スペーサ３Ａ〜３Ｅの方で細部構成を明らかにする。なお、符号１は、扁平型電池１Ａ、１Ｂ、１Ｃ、１Ｄであるかを特に問わず何れにも当てはまるときに使用する。符号２は、締結部材２Ａか締結部材２Ｂかを特に問わず何れにも当てはまるときに使用する。符号３は、スペーサ３Ａ、３Ｂ、３Ｃ、３Ｄ、３Ｅであるかを特に問わず何れにも当てはまるときに使用する。
【００２６】
（締結構造）図４の積層体４は、各扁平型電池１Ａ〜１Ｄを前側の各スペーサ３、不図示の後側の各スペーサにより一つづつ上下から挟持して非接触状態に積層されている。締結部材２Ａ，２Ｂは、前後の各スペーサに対し押し込み操作により組み付けられて、前後の各スペーサを拘束することにより積層体４を一体化し電池モジュール用セルユニット５として作成可能にする。
【００２７】
図５はスペーサ３Ａ〜３Ｅの細部を示している。各スペーサ３は、樹脂の射出成成形品であり、長さが扁平型電池１の幅に対応した寸法となっている。最上段のスペーサ３Ａ及びその下のスペーサ３Ｂは扁平型電池１Ａの電極端子１０を上下より挟持し、スペーサ３Ｂ及びその下のスペーサ３Ｃは扁平型電池１Ｂの電極端子１０を上下より挟持し、スペーサ３Ｃ及びその下のスペーサ３Ｄは扁平型電池１Ｃの電極端子１０を上下より挟持し、スペーサ３Ｄ及び最下段のスペーサ３Ｅは扁平型電池１Ｄの電極端子１０を上下より挟持している。
【００２８】
各スペーサ３には、手前部分を切り欠いて電極端子１０の一部を露出する切欠部３３又は３３ａが複数箇所に設けられている。スペーサ３Ａ，３Ｅの両端部３０、及びスペーサ３Ｂ〜３Ｄの両端部３１には、図３に示されるごとく上下に連続する貫通孔３４が設けられている。この構造では、スペーサ３Ａの貫通孔３４に対応して下設された筒部３０ａをスペーサ３Ｂの貫通孔３４の上側径大孔部３４ａに嵌合し、スペーサ３Ｂの貫通孔３４に対応して下設された筒部３１ａをスペーサ３Ｃの貫通孔３４の上側径大孔部３４ａに嵌合し、スペーサ３Ｃの貫通孔３４に対応して下設された筒部３０ａをスペーサ３Ｄの貫通孔３４の上側径大孔部３４ａに嵌合し、スペーサ３Ｄの貫通孔３４に対応して下設された筒部３１ａをスペーサ３Ｅの径大孔部３４ａに嵌合した状態で連続した貫通孔３４となっている。また、各スペーサ３は、両側が筒部３０ａと径大孔部３４ａとの嵌合を介して積層されるため上下・左右の動きが一応規制されるようになっている。
【００２９】
また、スペーサ３Ａ，３Ｅは、外面中央部に設けられて位置決め手段と係止手段とを兼ねる凹部３９と、同じく両端部３０の外側に設けられて位置決め手段と係止手段とを兼ねる凹部３８とを有している。なお、スペーサ３Ｅ側の凹部３９と、両端部３０のうち図５の左側の凹部３８は作図上省略されている。スペーサ３Ｂには出力端子１４を位置決めする配置部３７ａが設けられている。出力端子１４は、スペーサ３Ａ，３Ｂ同士の間に配置される扁平型電池１Ａの電極端子１０と、スペーサ３Ｂ，３Ｃ同士の間に配置される扁平電池１Ｂの電極端子１０と接続される接続部１３ａ，１３ｂを形成している。スペーサ３Ｄには出力端子１２を位置決めする配置部３８ａ及び開口３８ｂが設けられている。出力端子１２は、スペーサ３Ｃ，３Ｄ同士の間に配置される扁平型電池１Ｃの電極端子１０と、スペーサ３Ｄ，３Ｅ同士の間に配置される扁平電池１Ｄの電極端子１０に接続される接続部１１ａ，１１ｂを形成している。スペーサ３Ｂ〜３Ｅにはバスバー１６が左側の切欠部３３又は３３ａに沿って配置される。バスバー１６は、扁平型電池１Ａ〜１Ｄの各電極端子１０に接続可能となるよう階段状に形成されており、最上段の平板部がスペーサ３Ａ，３Ｂ同士の間に配置された状態で位置決め係止され、最下段の平板部１６ａがスペーサ３Ｅの左側の切欠部３３上に配置される。これらは特許文献１に開示のスペーサ構成と類似している。
【００３０】
従来と最も異なる点は、スペーサ３Ａが両端部３０の内側に設けられた被係合部としての受け部３５を有しているとともに、スペーサ３Ｅが両端部３０の内側に設けられた被係合部としての受け部３６を有していることである。受け部３５と受け部３６とはほぼ同軸線上に設けられている。また、両側の受け部３５は、側面視で略凹字形であり所定距離を保って対向している。両側の受け部３６は、側面視で逆凹字形であり所定距離を保って対向している。各受け部３５の長さは、図３に示されるごとくスペーサ３Ｂの切欠部３３ａを通って中間のスペーサ３Ｃの上側対応部に当接する寸法である。各受け部３６の長さは、スペーサ３Ｄの切欠部３３ａを通って中間のスペーサ３Ｃの下側対応部に当接する寸法である。
【００３１】
図６は締結部材２Ａの細部を示している。締結部材２Ａは、樹脂の射出形成品であり、図４の積層体４の各スペーサ３に対応した大きさの容器状となっている。すなわち、締結部材２Ａは、縦断面が中間部２０及び上下の両側部２１からなる略コ形状であるとともに、長手方向の左右端に設けられた湾曲部２２を有しており、図４の積層体４を構成している各スペーサ３のほぼ全体を内側に収容可能となっている。中間部２０の外面は、上記スペーサ３の各出力端子１２,１４に応じて突設された略矩形の筒部２３を有し、出力端子１２，１４が対応する筒部２３より外へ突出可能となっている。対向した上下の側部２１には、同軸線上に貫通された貫通孔２４が左右の湾曲部２２付近に設けられている。各貫通孔２４は、締結部材２Ａが各スペーサ３に装着されたセルユニット５の状態で各スペーサの貫通孔３４と重ねられる。
【００３２】
上下の側部２１の内面には、左右の貫通孔２４より少し中央よりに係合部としての矩形片部２５，２６が設けられている。片部２５及び片部２６は、上下に対向しており、後面と上又は下面が中間部内面と側部内面とに接合した状態で側部２１の前後略中間まで延びている。片部２５,２６は、手前側のコーナー部が傾斜面２５ａ，２６ａに形成されており、締結部材２Ａが各スペーサ３に装着されるとき、スペーサ側の対応する受け部３５，３６に差し込まれ易くなっている。
【００３３】
また、中間部２０の内面には、一方側の片部２５,２６より少し中央よりに縦リブ２７が設けられている。この縦リブ２７は、スペーサ３Ｅの左側の切欠部３３の真上に延びて、図３の部分拡大図に示したごとくバスバー１６の自由端である最下段の平板部１６ａに当接してバスバー１６の揺動を規制する。更に、左右の各湾曲部２２には、図６（ｂ）に示されるごとく凸部２８が内面にあって上下の側部２１の少し下側に設けられている。同じく、上下の各側面２１には、爪部２９が内面にあって左右中間に設けられている。各凸部２８は、スペーサ３Ａ，３Ｅの対応する凹部３８とで位置決め手段ないしは係止手段を構成している。各爪部２９は、スペーサ３Ａ，３Ｅの対応する凹部３９とで位置決め手段ないしは係止手段を構成している。
【００３４】
（利点）以上の締結部材２Ａは、図４の積層体４を構成している各スペーサ３に対し同図の矢印方向への押し操作により組み付けられて、各スペーサ３を電池モジュール用セルユニット５として拘束一体化する。この操作自体は従来と同じであるが、上記の締結構造では、従来構造に比べて以下のような利点を実現している。
【００３５】
第１に、この締結構造では、締結部材２Ａを押し込み操作により各スペーサ３ないしは積層体４に装着するとき、最終段階で両側の各凸部２８がスペーサ側の対応する凹部３８と、中間部の各爪部２９がスペーサ側の対応する凹部３９と弾性係合するため、電池モジュール用セルユニット５の幅寸法が大きなっても締結部材２Ａを各スペーサ３に高精度に装着できる。また、各爪部２９は、対応する凹部３９と弾性係合するときクリック音を伴うため各スペーサ３に対する締結部材２Ａの装着完了をその音で判断できる。
【００３６】
第２に、加えて、この締結構造では、締結部材２Ａが各スペーサ３に装着される過程で、締結部材左右に設けられた上下の片部２５,２６がスペーサ側の対応する受け部３５,３６に嵌入される。これにより、両側の各上下の片部２５，２６は、図３の部分拡大図から推察されるごとく対応する左右の受け部３５,３６とそれぞれ嵌合した状態となる。このため、最上段のスペーサ３Ａと最下段のスペーサ３Ｅとは、受け部３５，３６に嵌合した片部２５，２６により確実に位置規制される。同時に、他のスペーサ３Ｂ〜３Ｄは、その位置規制された最上下段のスペーサ３Ａ，３Ｅにより上下から挟み込まれ左右及び上下の動きが確実に位置規制される。この結果、この締結構造では、部材数を増やしたり、組立工数を増やすことなく扁平型電池ないしはスペーサ同士をより確実かつ強固に拘束できる。
【００３７】
（変形例１）図７の変形例１は、上記した係合部である片部２５の形状を変更した一例である。この片部２５Ａは、図７（ｂ）に示されるごとく片部２６と対向している面を傾斜面２５ｂに形成されている。傾斜面２５ｂは、中間部２０から離れるに従って次第に片部２６の対向面との距離を大きくするテーパーに設定されている。このため、この締結構造では、締結部材２Ａを各スペーサ３に装着した状態において、図７（ａ）から分かるように片部２５が受け部３５に対し傾斜面２５ｂのうち最も下方にある中間部２０に近い箇所が局所的に押圧することになる。この結果、この締結構造では、片部２５が受け部３５に押圧することにより片部２６との間の挟持力を増大して、スペーサ同士をより一層強固に拘束できる。なお、他の例としては、片部２６にも同様な傾斜面を形成したり、受け部３５や３６側に同様な傾斜面を形成することである。
【００３８】
（変形例２）図８（ａ）の変形例２は、上記した受け部３５，３６の形状を変更した一例である。変形例２において、両側の受け部３５ａは、側面視で略Ｌ字形であり所定距離を保って対向している。両側の受け部３６ａは、側面視で逆Ｌ字形であり所定距離を保って対向している。そして、この締結構造は、各受け部３５ａ，３６ａを上記図１〜図６に比べ単純な形状にしても、両側の片部２５がスぺーサ３Ａ,３Ｅに設けられた左右の受け部３５ａに対し内側よりそれぞれ嵌合するため、スペーサ同士の左右方向への微動を上記形態と同程度に規制できる。
【００３９】
（変形例３）図８（ｂ）の変形例３は、上記した片部２５，２６の一方と、それ対応する受け部３５，３６の一方を省略した一例である。変形例３において、両側の片部２５及びそれら嵌合する受け部３５は上記形態と同じ。上記形態の両側の片部２６及びそれと嵌合する受け部３５は省略されている。また、スペーサ３Ｅには、上記形態の受け部３６に代えて張出部３６ｂを形成している。そして、この締結構造は、片部２５,２６の一方及びそれと対応する受け部３５，３６の一方を省いて簡略化しても、各スペーサ３が受け部３５に嵌合されている片部２５と、片部２５と対向している締結部材を構成している側部２１との間に挟持されるため、部材数を増やしたり、組立工数を増やすことなく扁平型電池ないしはスペーサ同士を確実かつ強固に拘束できる。以上のように、本発明は、請求項で特定される構成を備えておればよく、細部は必要に応じて種々変更可能なものである。
【符号の説明】
【００４０】
１Ａ〜１Ｄ…扁平型電池（１０は電極端子、１１は外装材）
２Ａ,２Ｂ…締結部材（２０は中間部、２１は側部、２２は湾曲部、２４は貫通孔）
３Ａ〜３Ｅ…スペーサ（３０,３１は端部、３４は貫通孔）
４…積層体
５…電池モジュール用セルユニット
２５，２６…片部（係合部）
２５Ａ…片部（係合部）
３５，３６…受け部（被係合部）
３５ａ，３６ａ…受け部（被係合部）
３８，３９…凹部（位置決め手段と係止手段を兼用）
【図１】
2012079543.tif 000003
【図２】
2012079543.tif 000004
【図３】
2012079543.tif 000005
【図４】
2012079543.tif 000006
【図５】
2012079543.tif 000007
【図６】
2012079543.tif 000008
【図７】
2012079543.tif 000009
【図８】
2012079543.tif 000010
【図９】
2012079543.tif 000011
【図１０】
2012079543.tif 000012